(57)【特許請求の範囲】
【請求項１】
家具の背面を支持する背面支持部と、該家具の側面、上面、底面のいずれかを支持する補助支持部と、壁面に固定される壁面固定部とを備え、
該補助支持部には、前記家具の支持面に粘弾性部材が取り付けられると共に、前記支持面側に突出する直線状のリブを備え、
該リブの全面に亘って前記粘弾性部材が圧着されている
ことを特徴とする家具の転倒防止固定具。
【請求項２】
平板部材を直角に折り曲げてなる背面支持部と補助支持部を有し、該補助支持部のリブは、折曲部より直行する方向に延びる直線状に形成されている
請求項１に記載の家具の転倒防止固定具。
【請求項３】
前記背面支持部には、前記家具の支持面に粘弾性部材が取り付けられると共に、前記支持面側に突出する直線状のリブを備え、
該リブの全面に亘って前記粘弾性部材が圧着されている
請求項１又は請求項２に記載の家具の転倒防止固定具。
【請求項４】
前記背面支持部及び補助支持部の少なくとも一方が、折曲部に平行な直線状のリブを有する
請求項１乃至請求項３の何れか一項に記載の家具の転倒防止固定具。
【発明の詳細な説明】
【技術分野】
【０００１】
本発明は、地震発生時における室内の家具の転倒を防止するために、家具を壁に固定するための固定具、該固定具を用いた固定方法、及び転倒防止構造に関する。
【背景技術】
【０００２】
大地震発生時においては、室内に配置した家具が転倒・遊動して、人や物品が負傷、損傷する。そのため、家具の転倒防止策として、例えばＬ型金具やワイヤーなどの固定具により家具を壁面に固定する方法が一般的である。しかしながら、これらの方法は金具やワイヤーを家具にビスや釘で部材を固定しなければならず、家具に傷をつけてしまう。
【０００３】
非特許文献１には、強度の地震にも耐え、家具に傷をつけない方法として、Ｌ型金物を家具と壁面にそれぞれ粘弾性体を介して固定する方法が開示されている。
【先行技術文献】
【非特許文献】
【０００４】
【非特許文献１】迫田丈志、他３名，「粘弾性体を用いた転倒防止金物を取り付けた家具の振動台実験」，日本建築学会大会学術講演梗概集，２００５年９月，ｐ．１１３−１１４
【発明の概要】
【発明が解決しようとする課題】
【０００５】
しかしながら、上記非特許文献１に開示された、壁と家具の上面、または床と家具の下側面に粘弾性体を介して金物を取り付ける方法の場合、家具固定側は問題がないものの、壁面固定側において、壁面に貼られた壁紙が粘弾性体に引っ張られて剥がれることで、上記金物が壁面から容易に外れてしまうという問題があった。また、床と家具の下側面に粘弾性体を介して金物を取り付けた場合、床浮き上がりが発生し、家具転倒の危険性が残るという問題があった。
【０００６】
本発明の課題は、固定箇所が目立たず、家具に傷を付けずに壁面に容易に固定することができ、強振動にも耐えうる家具の固定構造、固定具、固定方法を提供することにある。
【課題を解決するための手段】
【０００７】
本発明の家具の転倒防止固定具は、家具の背面を支持する背面支持部と、該家具の側面、上面、底面のいずれかを支持する補助支持部と、壁面に固定される壁面固定部とを備え、該補助支持部には、家具の支持面に粘弾性部材が取り付けられると共に、支持面側に突出する直線状のリブを備え、該リブの全面に亘って粘弾性部材が圧着されていることを特徴とする。
【０００８】
また、上記家具の転倒防止固定具において、平板部材を直角に折り曲げてなる背面支持部と補助支持部を有し、該補助支持部のリブは、折曲部より直行する方向に延びる直線状に形成されていることが好ましい。
【０００９】
また、上記家具の転倒防止固定具において、背面支持部には、家具の支持面に粘弾性部材が取り付けられると共に、支持面側に突出する直線状のリブを備え、該リブの全面に亘って粘弾性部材が圧着されていることが好ましい。
【００１０】
また、上記家具の転倒防止固定具において、上記背面支持部及び補助支持部の少なくとも一方が、折曲部に平行な直線状のリブを有することが好ましい。
【発明の効果】
【００１１】
本発明によれば、主として家具の背面を利用して家具の転倒防止を図るため、固定箇所が目立たない。また、背面であるので粘弾性部材の接着面積を広くとることができ、家具の振動を抑制する効果を高めて家具の転倒防止効果を高めることができる。また、背面に加えて家具の上面、側面、底面のいずれかの二面において家具の固定を行うことにより、いずれの方向に対しても振動抑制効果が働き、家具の転倒防止効果が高い。
【００１２】
本発明の固定具は、平板部材を折り曲げて壁面固定用の孔を形成するだけで良いため、非常に安価に製造することができ、家具の固定に必要な粘弾性部材も市販品を用いることができるため、家具の固定を安価に実施することができる。また、家具に傷をつけず固定することができ、取り外しも容易である。
【００１３】
本発明の固定具においては、支持部にリブを設けることで固定具自体の強度を高めることができ、地震発生時の固定具の形状維持が容易である。このため、上記振動抑制効果をさらに高めることができる。また、リブの直角方向の揺れに対しても振動抑制効果を発揮できる。
【図面の簡単な説明】
【００１４】
【図１】本発明の固定具の好ましい実施形態の斜視図である。
【図２】本発明の固定具の他の実施形態の模式図である。
【図３】図１の固定具を用いた本発明の固定構造の部分斜視図である。
【図４】本発明の固定具の他の実施形態を用いた本発明の固定構造の部分斜視図である。
【図５】本発明の固定具を家具に取り付けた部位の断面模式図である。
【図６】本発明の固定具の支持部にリブを設けた形態を示す斜視図である。
【図７】本発明の固定具の支持部に２方向のリブを設けた形態を示す斜視図である。
【発明を実施するための形態】
【００１５】
以下、本発明の家具の転倒防止固定構造（以下、「固定構造」という）、転倒防止固定具（以下、「固定具」という）、転倒防止固定方法（以下、「固定方法」という）について図面を参照して説明する。
【００１６】
図１は、本発明の固定具の好ましい実施形態の斜視図である。本発明の固定具１は、基本的に家具の背面を支持する背面支持部２と、係る固定具１を壁面に固定するための壁面固定部４と、家具の上面、側面、底面のいずれかを固定するための補助支持部を有しており、図１の例は、この補助支持部として家具の上面を支持する上面支持部３を設けた形態である。
【００１７】
通常、家具は背面を壁面に沿って配置するため、壁面固定部４と背面支持部２とは連続した平板状となる。また、背面支持部２と補助支持部とは、家具の支持面が互いに直行する方向に形成される。
【００１８】
また、本発明の固定具１において、壁面固定部４の壁面への固定方法は特に限定されないが、ビスや釘により固定することが望ましく、図１の例においては該ビスや釘を通すための長孔５を壁面固定部４に設けている。ここで、ビスや釘を通すだけであれば、ビスや釘の大きさに合わせた円形の孔を設けておけば良いが、通常の家屋の壁面の内部は、鉛直方向に所定の間隔を置いて複数本の横桟や補強材が配置されており、係る構成は規格化されている。よって、該横桟や補強材にビスや釘を留めるためには、壁面固定部４におけるビスや釘の位置を自由に選択しうる必要がある。図１のように、鉛直方向に長い長孔５を鉛直方向に複数個設けておけば、いずれかの長孔５を通してビスや釘を横桟や補強材に留めることができる。
【００１９】
図２に本発明の固定具１の他の形態を模式的に示す。（ａ）〜（ｅ）は補助支持部として側面支持部７を有する形態であり、（ｆ）は補助支持部として上面支持部３を有する形態である。
【００２０】
本発明において、背面支持部２と補助支持部とはそれぞれを別々に形成した後、一体化しても良いが、好ましくは、強度の面から背面支持部２と補助支持部とを平板部材を直角に折り曲げて形成することが好ましい。従って、本発明の固定具は樹脂板や金属板を用いて構成されるが、好ましくは金属板を所定の位置で折り曲げて形成する。金属板の素材としてはステンレス、アルミニウム、鉄などが好ましく用いられる。
【００２１】
図２の（ａ）は水平方向に連続した平板状の背面支持部２と壁面固定部４との境界部に側面支持部７の端部を後から取り付けて一体化した例であり、（ｂ）〜（ｅ）はそれぞれ、平板部材の一部を直角に折り曲げて側面支持部７とした例である。また、（ｆ）は鉛直方向に連続した平板状の背面支持部２と壁面固定部４との境界部に上面支持部３を後から取り付けて一体化した例である。尚、補助支持部として底面支持部を設けた例としては、図１の固定具１を鉛直方向において逆向きに用いればよい。
【００２２】
図２において、（ａ）〜（ｄ）は壁面固定部４が家具の側面の脇に配置する形態であり、（ｅ），（ｆ）は壁面固定部４が家具の上面の上に配置する形態である。従って、（ａ）〜（ｄ）は少なくとも家具を配置する際に家具の脇に十分な空間が存在する場合に用いられる。また、（ｅ）、（ｆ）は家具を配置する際に家具の上面に十分な空間が存在する場合にそれぞれ用いられる。
【００２３】
図３に図１の固定具１を用いて家具３０を壁面に固定した状態を示す。また、図４は補助支持部として側面支持部７を有する固定具〔図２（ｄ）〕を用いて家具３０を室内の壁面に固定した状態を示す。図中、３４は内装材であり、その内部には所定の間隔を置いて横桟３３が配置されている。図３、図４に示すように、本発明においては、固定具１の背面支持部２と補助支持部３，７を家具３０に粘弾性部材３２を介して取り付け、壁面固定部４を長孔５を介してビスまたは釘３１によって壁面に固定する。該ビスまたは釘３１は内装材３４を挟んで横桟３３に固定されている。
【００２４】
本発明において用いられる粘弾性部材３２としては、家具やテレビなどの下に置いて地震発生の際に家具やテレビの揺れを緩和する、例えば、耐震ゲルマットの名称で市販されている製品を用いることができる。このような粘弾性部材３２を用いて固定具１を家具３０に取り付けた場合、粘弾性部材３２の粘着力によって固定具１の支持面と家具３０とは良好に粘着し、取り外した場合にもその跡が家具３０に残らない。また、地震が起きた際には、粘弾性部材３２が変形することで家具の振動のエネルギーを吸収し、家具３０の揺れを抑えることができ、該家具３０の転倒を防止することができる。
【００２５】
ここで、図３，４に示すように、係る粘弾性部材３２は厚さが薄いマット状であるため、粘弾性部材３２が吸収する振動エネルギーの振動方向としては、固定具１の家具の支持面に平行な方向（家具の面に平行な方向）である。従って、家具３０の幅方向（壁面及び背面に平行な水平方向）をＸ方向、家具３０の奥行き方向（側面に平行な水平方向）をＹ方向、家具３０の高さ方向（鉛直方向）をＺ方向とすると、背面支持部２はＸ方向とＺ方向、上面支持部３及び底面支持部（不図示）はＸ方向とＹ方向、側面支持部７はＹ方向とＺ方向のそれぞれの振動を吸収緩和することができる。本発明の固定具１は背面支持部２と、上面支持部３または側面支持部７もしくは底面支持部（不図示）のいずれかを備えていることから、Ｘ、Ｙ、Ｚ方向のいずれの振動に対しても吸収緩和することができる。
【００２６】
尚、各支持部２，３，７の面積、形状、粘弾性部材３２の面積、形状、固定具の取り付け位置、個数などは、家具３０の重さや形状、各面の大きさなどによって適宜選択されるため、本発明においては特に限定されない。外観上、粘弾性部材３２が支持部２，３，７の外にはみ出していると見栄えが悪いため、粘弾性部材３２が支持部２，３，７の中に収まるようにすることが望ましい。また、上面支持部３や側面支持部７が大きすぎると外観上好ましくないため、可能な限り小さくする、或いは、なるべく目立たない位置に取り付ける事が好ましい。
【００２７】
本発明の固定具１を用いた固定方法としては、先ず、家具３０の壁面への配置位置に応じて固定具１を選択し、家具３０の所定の位置に粘弾性部材３２を介して取り付ける。この時、固定具１を家具３０に確実に取り付けるため、所定の荷重をかけて所定時間以上、放置する事が好ましい。係る荷重としては家具３０自体を利用しても良く、具体的には固定する支持部２，３，７の一方が家具３０の下になるように家具３０を倒し、他方については適当なおもりを載せて数時間〜数日間放置すればよい。
【００２８】
さらに本発明の固定具１が図１のように上面支持部３を備えている場合において、上面支持部３から壁面固定部４に設けた長孔５の最上部までの距離Ｚ3を所定の長さに設定することにより、固定具１の壁面固定部４と背面支持部２の弾性作用によってＹ方向の振動を抑制することができる。係る距離Ｚ3としては、１０〜４０ｃｍ程度が好ましい。
【００２９】
また、本発明において、背面支持部２と補助支持部３，７を平板部材を折り曲げて形成した場合において、係る折曲部を補強するために、リブを設けることが好ましい。該リブは、折曲部から直行する方向に延びる直線状に形成される。図１の例は、係るリブ６ａを上面支持部３に設けた例であり、リブ６ａは上面支持部３と背面支持部２とを連結する折曲部８から直行する方向に形成されている。
【００３０】
また、係るリブ６ａは、家具３０の支持面側に突出するように形成される。図５は図１の固定具１を家具３０に取り付けた部位の断面模式図であり、図５に示されように、リブ６ａは家具３０の支持面側に突出するように形成されているため、Ｘ方向の振動を生じた場合には、粘弾性部材３２側に突出したリブ６ａが振動によるＸ方向の粘弾性部材３２の変形を抑える作用を生じ、結果として家具３０の振動をより抑制することができる。
【００３１】
即ち、係るリブ６ａは、折曲部８の補強と同時に家具３０の振動抑制という二つの作用を備えている。
【００３２】
図１の例では、リブ６ａは上面支持部３にのみ形成されていたが、同様のリブを他の支持部に設けることができる。図６（ａ）は背面支持部２にも設けた例であり、図６（ｂ）は側面支持部７と背面支持部２に設けた例である。このようなリブ６ａ〜６ｃは固定具１の素材として金属板を用い、該金属板を折り曲げて各支持部を形成した後、所定の位置を叩いて形成することができる。図６（ａ）のリブ６ａ，６ｂはいずれも折曲部８を補強すると同時にＸ方向の振動を抑制する。また、図６（ｂ）のリブ６ａ，６ｂは折曲部９を補強すると同時にＺ方向の振動を抑制する。
【００３３】
上記した、折曲部８に直交する方向に延びるリブ６ａの振動エネルギー吸収作用は、該リブ６ａに直交する方向、即ち、折曲部８に平行な方向である。よって、折曲部８に直交する方向の振動エネルギー吸収を目的に、折曲部８に平行な直線状のリブを設けることも好ましい形態である。図７（ａ）は上面支持部３と背面支持部２のそれぞれに係るリブ１０ａ、１０ｂを設けた例であり、図７（ｂ）は側面支持部７と背面支持部２にそれぞれ係るリブ１０ｃ、１０ｂを設けた例である。図７に示すように、２方向のリブを設けることによって、各支持部による２方向の振動抑制効果がより良く得られる。
【実施例】
【００３４】
図１に示した形状でリブ６ａのない固定具１を作製し、実際の家具を壁面に固定して振動実験を行い、耐えうる震度を測定した。家具の外形寸法は幅９３ｃｍ、奥行き３０ｃｍ、高さ１７７．５ｃｍで重さが全体で７５０ｋｇになるように内部におもりを分散して配置した。また、家具を設置する床はフローリングであり、壁面は通常のクロス貼りである。
【００３５】
また、固定具１の寸法は、図１においてＸ１＝１３２ｍｍ、Ｘ２＝１００ｍｍ、Ｘ３＝８２ｍｍ、Ｙ１＝１００ｍｍ、Ｚ１＝１０００ｍｍ、Ｚ２＝７０ｍｍ、Ｚ３＝２７０ｍｍ、Ｚ４＝５０ｍｍとした。長孔５の幅は４．５ｍｍで鉛直方向に間隔３０ｍｍを置いて８個とした。該固定具１を家具の上面の水平方向両端に支持部とほぼ同じ面積の耐震マットを挟んで１個ずつ取り付け、壁面に２箇所、ビスで固定した。尚、粘弾性部材は通常は支持部全面に圧着するが、特に背面支持部では家具に桟などの凸部があるときはこれを避けて取り付ける。
【００３６】
上記の状態で振動台を振動させたところ、震度６．３（最大加速度：１１２８ｇａｌ）でも家具が転倒せず、振動停止した後ほぼ元の状態に戻った。よって、本発明によれば、震度６．３程度の振動まで耐え得ることがわかった。
【産業上の利用可能性】
【００３７】
本発明は地震等災害発生時における室内の家具の転倒防止に適用される。
【符号の説明】
【００３８】
１  固定具
２  背面支持部
３  上面支持部
４  壁面固定部
５  長孔
６ａ〜６ｃ、１０ａ〜１０ｃ  リブ
７  側面支持部
８，９  折曲部
３０  家具
３１  ビスまたは釘
３２  粘弾性部材
３３  横桟
３４  内装材
【図１】
0005502063.tif 000002
【図２】
0005502063.tif 000003
【図３】
0005502063.tif 000004
【図４】
0005502063.tif 000005
【図５】
0005502063.tif 000006
【図６】
0005502063.tif 000007
【図７】
0005502063.tif 000008